(57)【要約】【課題】管理者がわざわざ水田に出向かなくとも、自動かつ簡単な構成で用水路から水田内への水の流入の調整が出来る止水装置を提供する。【解決手段】水田Ｂ脇の用水路Ｃにおいて、水田Ｂへの引き込み水路Ｄ近くの下流の位置に、フレーム１を相対向して固定し、フレーム１に、止水板４の両側端縁を摺動自在に支持させてフレーム１によって形成される空間内に位置するように形成し、フレーム１の上部に定荷重ばね８を固定し、定荷重ばね８の自由端を止水板４の上部に固定し、水を溜める第一タンク９と第二タンク１２を設け、これらのタンク９、１２に第一ポンプ１０と第二ポンプ１３を接続し、第一ポンプ１０を作動させるタイマー１１を設け、水田Ｂに第二ポンプ１３を作動させる水位センサー１４を設け、止水板４の上端縁に第二タンク１２を載置し、第二タンク１２の近くに第一タンク９を載置して止水装置Ａを形成した。【選択図】図１
0003115884.tif 000002
【実用新案登録請求の範囲】
【請求項１】
栽培池又は水田への引き込み水路が側壁の上部に設けられた用水路であって、当該用水路の引き込み水路近くの下流の位置の両側壁に、左右のフレームを相対向して立設して固定し、これらの左右のフレームに、上方から方形状の平板から成る止水板の両側端縁を摺動自在に支持させて当該相対向して立設した左右のフレームによって形成される空間の下部又は上部に位置するように形成し、当該左右のフレームの上部に定荷重ばねを夫々固定し、当該各定荷重ばねの自由端を上記止水板の上部に固定し、
水を溜める第一タンク及び第二タンクを設け、第一タンクに第一ポンプの取り込み口を接続し、第二タンクに第二ポンプの取り込み口を接続し、第一ポンプの第一排水ホースの排水口を第二タンクに接続し、第二ポンプの第二排水ホースの排水口を第一タンクに接続し、上記第一ポンプを作動させるタイマーを設け、また、上記栽培池又は水田に上記第二ポンプを作動させる水位センサーを設け、
上記止水板に上記第二タンクを設け、当該第二タンクの近くに上記第一タンクを載置して止水装置を形成し、
予め設定した時刻になると、上記タイマーの指示により上記第一ポンプを作動させて上記第一タンク内に溜められた水を上記第二タンク内に移動させ、当該第二タンク内に水が満たされると当該第二タンクは自身の重量により上記定荷重ばねの力に抗して上記止水板を下降させて上記用水路の水流を堰き止め、当該水流を堰き止めて水位を上昇させて上記引き込み水路を通して上記栽培池又は水田内に水を引き込み、一方、当該第二タンク内に水が満たされるとセンサーの感知又はタイマーにより当該第一ポンプの動きを停止させ、
当該栽培池又は水田の水位が上昇した際、上記水位センサーがこれを感知し、当該水位センサーによって上記第二ポンプを作動させ、当該第二タンク内の水を上記第一タンク内に移動させ、当該水の移動により当該第二タンクの重量を軽減して上記止水板は上記各定荷重ばねの力により上方に引き上げられ、用水路の水流を復帰させ、一方、当該第一タンク内に水が満たされるとセンサーの感知又はタイマーにより当該第二ポンプの動きを停止させる構成を特徴とする、用水路の止水装置。
【請求項２】
上記栽培池又は水田の水位が高い時、上記タイマーにより上記第一ポンプに作動の指示があっても、上記水位センサーの指示により、当該第一ポンプを作動させないことを特徴とする、上記請求項１に記載の用水路の止水装置。
【請求項３】
上記第一ポンプを作動させるタイマーに代えて、上記栽培池又は水田の低水位を感知して第一ポンプを作動させる第二水位センサーを当該栽培池又は水田に設けたことを特徴とする、上記請求項１に記載の用水路の止水装置。
【請求項４】
上記第二タンクを上記止水板と一体に設けたことを特徴とする、上記請求項１、２又は３の何れかに記載の用水路の止水装置。
【請求項５】
当該止水装置の左右のフレームを立設させ、当該立設した左右のフレームの略中間部及び下部の位置に水平フレームを夫々設け、
当該止水装置を上記用水路に取り付ける際、当該左右のフレームの各水平フレームを当該用水路の各側壁に夫々当接させ、当該用水路の各側壁に当接させた各水平フレームの間にターンバックルを渡し、これらのターンバックルで各水平フレームを当該用水路の各側壁に押圧させて当該各フレームを当該用水路に取り付けることを特徴とする、上記請求項１、２、３又は４の何れかに記載の用水路の止水装置。
【請求項６】
上記用水路の各側壁に固定した左右の各フレームは一定長のチャネル型とし、これらの各フレームの各凹部を相対向させて設け、
上記止水板の両側縁に、当該止水板の両側縁に沿った向き又は当該止水板の両側縁に沿った向きと直交した向きに、複数のローラ又はキャスターを回転自在に設け、上記各フレームの各凹部に当該止水板の両側端縁を摺動自在に嵌め入れたことを特徴とする、上記請求項１、２、３、４又は５の何れかに記載の用水路の止水装置。
【請求項７】
上記第一ポンプ及び第二ポンプに代えて、正逆回転自在な一つのポンプを設け、当該正逆回転自在なポンプの一方の取り込み兼排水口を上記第一タンクに接続し、当該正逆回転自在なポンプの他方の取り込み兼排水口を上記第二タンクに接続し、当該ポンプを正回転作動させるタイマーを設け、また、上記栽培池又は水田に当該ポンプを逆回転作動させる水位センサーを設け、
予め設定した時刻になると、上記タイマーの指示により上記ポンプを正回転作動させて上記第一タンクから水を上記第二タンク内に移動させ、一方、当該第二タンク内に水が満たされるとセンサーの感知又はタイマーにより当該ポンプの正回転作動を停止させ、
当該栽培池又は水田の水位が上昇した際、上記水位センサーがこれを感知し、当該水位センサーによって上記ポンプを逆回転作動させて当該第二タンク内の水を第一タンク内に移動させ、一方、当該第一タンク内に水が満たされるとセンサーの感知又はタイマーにより当該ポンプの逆回転作動を停止させる構成を特徴とする、上記請求項１、２、４、５、又は６の何れかに記載の用水路の止水装置。
【請求項８】
上記ポンプを作動させるタイマーに代えて、上記栽培池又は水田の低水位を感知して当該ポンプを正回転作動させる第二水位センサーを当該栽培池又は水田に設けたことを特徴とする、上記請求項７に記載の用水路の止水装置。
【請求項９】
上記第一タンク及び第二タンクに代えて、一つのタンクを設け、また、上記第一ポンプ及び第二ポンプに代えて、正逆回転自在な一つのポンプを設け、上記タンクに正逆回転自在なポンプの一方の取り込み兼排水口を接続し、当該ポンプの他方の取り込み兼排水口を用水路の中に設け、当該ポンプを正回転作動させるタイマーを設け、また、上記栽培池又は水田に当該ポンプを逆回転作動させる水位センサーを設け、上記止水板に上記タンクを設け、
予め設定した時刻になると、上記タイマーの指示により上記ポンプを正回転作動させて上記用水路から水を上記タンク内に取り込み、一方、当該タンク内に水が満たされるとセンサーの感知又はタイマーにより当該ポンプの正回転作動を停止させ、
当該栽培池又は水田の水位が上昇した際、上記水位センサーがこれを感知し、当該水位センサーによって上記ポンプを逆回転作動させ、当該タンク内の水を用水路に戻し、一方、当該タンク内に水が満たされるとセンサーの感知又はタイマーにより当該ポンプの逆回転作動を停止させる構成を特徴とする、上記請求項１、２、４、５、又は６の何れかに記載の用水路の止水装置。
【請求項１０】
上記ポンプを作動させるタイマーに代えて、上記栽培池又は水田の低水位を感知して当該ポンプを正回転作動させる第二水位センサーを当該栽培池又は水田に設けたことを特徴とする、上記請求項９に記載の用水路の止水装置。
【考案の詳細な説明】
【技術分野】
【０００１】
この考案は、水田、その他の栽培池（以下、単に「水田等」と言う）の脇を流れる農業用水路（以下、単に「用水路」と言う）から当該水田等内に水を引き込む際に使用するものであって、当該用水路の水流を堰き止めて水位を上昇させ、用水路の側壁の上部に設けられた引き込み水路に水を流して水田等に水を引き込む、用水路の止水装置に関するものである。
【背景技術】
【０００２】
従来、図１０に示すように、稲２２を栽培している水田地帯には、用水路Ｃが縦横に設けられており、これらの用水路Ｃを伝わって各水田Ｂの中に必要な水量が引き込まれている。そして、この様な、用水路Ｃから複数の水田Ｂに水を引き込む場合、当該用水路Ｃの側壁の上部に引き込み水路Ｄを夫々設け、当該引き込み水路Ｄの近くの用水路Ｃの水流を堰き止めて水位を上げ、当該引き込み水路Ｄを通じて水田Ｂに水を引き込んでいる（図１０では、黒太矢印で示す）。そして、通常は、用水路Ｃの水位は、引き込み水路Ｄの高さまで届かない位置にある。
【０００３】
この様な、用水路Ｃの水流を堰き止め、水田Ｂ内に水を引き込む作業は、具体的には、水田Ｂの管理者（以下、単に「管理者」と言う）が、自宅等から水田Ｂまで出向いて長方形の木製の板体２１を用水路Ｃに差し込み、これを固定するといった原始的な方法で行われている。そして、水田Ｂに十分水を引き込んだ後、上記板体２１を取り外し、用水路Ｃの水流を元に戻している。
【考案の開示】
【考案が解決しようとする課題】
【０００４】
しかしながら、この様な単純な作業を行うために、毎朝、わざわざ自宅等から離れた水田まで出向くのは如何にも面倒である。しかし、そうかといって、この作業を怠って数日おきにすると、稲の生育に悪影響を与え、十分に生育した稲の収穫が出来なくなる。また、真夏の酷暑の際には、水田が干乾びてしまい、稲の生育に重大な危機を与え、中には、枯れてしまうものも出て来る。
さらに、水流のある用水路に板体を固定するには、土嚢等の支持物を用水路に入れる等して板体の両側前後をしっかり固定しなければならない。そして、水田に水を引き込むには、４０〜５０分かかり、管理者はその場でこれを待っていなければならない。また、一度固定した板体を外すにも、これらの支持物を取り外すなど手間がかかる。
【０００５】
また、真夏の太陽が照りつける中、水田の水量を知るために、自宅等から離れた水田に向かうということも、忍耐を伴う重労働である。
【０００６】
そこで、この考案は、管理者がわざわざ水田に出向かなくとも、自動、かつ簡単な構成で、用水路から水田内への水の流入の調整が出来る、止水装置を提供して上記課題を解決するものである。
【課題を解決するための手段】
【０００７】
請求項１の考案は、栽培池又は水田への引き込み水路が側壁の上部に設けられた用水路であって、当該用水路の引き込み水路近くの下流の位置の両側壁に、左右のフレームを相対向して立設して固定し、これらの左右のフレームに、上方から方形状の平板から成る止水板の両側端縁を摺動自在に支持させて当該相対向して立設した左右のフレームによって形成される空間の下部又は上部に位置するように形成し、当該左右のフレームの上部に定荷重ばねを夫々固定し、当該各定荷重ばねの自由端を上記止水板の上部に固定した。
【０００８】
水を溜める第一タンク及び第二タンクを設け、第一タンクに第一ポンプの取り込み口を接続し、第二タンクに第二ポンプの取り込み口を接続し、第一ポンプの第一排水ホースの排水口を第二タンクに接続し、第二ポンプの第二排水ホースの排水口を第一タンクに接続し、上記第一ポンプを作動させるタイマーを設け、また、上記栽培池又は水田に上記第二ポンプを作動させる水位センサーを設け、上記止水板の上端縁に上記第二タンクを載置し、当該第二タンクの近くに上記第一タンクを載置して止水装置を形成した。
【０００９】
予め設定した時刻になると、上記タイマーの指示により上記第一ポンプを作動させて上記第一タンク内に溜められた水を上記第二タンク内に移動させ、当該第二タンク内に水が満たされると当該第二タンクは自身の重量により上記定荷重ばねの力に抗して上記止水板を下降させて上記用水路の水流を堰き止め、当該水流を堰き止めて水位を上昇させて上記引き込み水路を通して上記栽培池又は水田内に水を引き込み、一方、当該第二タンク内に水が満たされるとセンサーの感知又はタイマーにより当該第一ポンプの動きを停止させた。
【００１０】
当該栽培池又は水田の水位が上昇した際、上記水位センサーがこれを感知し、当該水位センサーによって上記第二ポンプを作動させ、当該第二タンク内の水を上記第一タンク内に移動させ、当該水の移動により当該第二タンクの重量を軽減して上記止水板は上記各定荷重ばねの力により上方に引き上げられ、用水路の水流を復帰させ、一方、当該第一タンク内に水が満たされるとセンサーの感知又はタイマーにより当該第二ポンプの動きを停止させる構成の用水路の止水装置とした。
【００１１】
請求項２の考案は、上記栽培池又は水田の水位が高い時、上記タイマーにより上記第一ポンプに作動の指示があっても、上記水位センサーの指示により、当該第一ポンプを作動させない上記請求項１に記載の用水路の止水装置とした。また、請求項３の考案は、上記第一ポンプを作動させるタイマーに代えて、上記栽培池又は水田の低水位を感知して第一ポンプを作動させる第二水位センサーを当該栽培池又は水田に設けた上記請求項１に記載の用水路の止水装置とした。さらに、請求項４の考案は、上記第二タンクを上記止水板と一体に設けた上記請求項１、２、又は３の何れかに記載の用水路の止水装置とした。
【００１２】
請求項５の考案は、当該止水装置の左右のフレームを立設させ、当該立設した左右のフレームの略中間部及び下部の位置に水平フレームを夫々設け、当該止水装置を上記用水路に取り付ける際、当該左右のフレームの各水平フレームを当該用水路の各側壁に夫々当接させ、当該用水路の各側壁に当接させた各水平フレームの間にターンバックルを渡し、これらのターンバックルで各水平フレームを当該用水路の各側壁に押圧させて当該各フレームを当該用水路に取り付ける上記請求項１、２、３、又は４の何れかに記載の用水路の止水装置とした。
【００１３】
また、請求項６の考案は、上記用水路の各側壁に固定した左右の各フレームは一定長のチャネル型とし、これらの各フレームの各凹部を相対向させて設け、上記止水板の両側縁に、当該止水板の両側縁に沿った向き又は当該止水板の両側縁に沿った向きと直交した向きに、複数のローラ又はキャスターを回転自在に設け、上記各フレームの各凹部に当該止水板の両側端縁を摺動自在に嵌め入れた上記請求項１、２、３、４又は５の何れかに記載の用水路の止水装置とした。
【００１４】
また、請求項７の考案は、上記第一ポンプ及び第二ポンプに代えて、正逆回転自在な一つのポンプを設け、当該正逆回転自在なポンプの一方の取り込み兼排水口を上記第一タンクに接続し、当該正逆回転自在なポンプの他方の取り込み兼排水口を上記第二タンクに接続し、当該ポンプを正回転作動させるタイマーを設け、また、上記栽培池又は水田に当該ポンプを逆回転作動させる水位センサーを設けた。
【００１５】
予め設定した時刻になると、上記タイマーの指示により上記ポンプを正回転作動させて上記第一タンクから水を上記第二タンク内に移動させ、一方、当該第二タンク内に水が満たされるとセンサーの感知又はタイマーにより当該ポンプの正回転作動を停止させ、当該栽培池又は水田の水位が上昇した際、上記水位センサーがこれを感知し、当該水位センサーによって上記ポンプを逆回転作動させて当該第二タンク内の水を第一タンク内に移動させ、一方、当該第一タンク内に水が満たされるとセンサーの感知又はタイマーにより当該ポンプの逆回転作動を停止させる構成の上記請求項１、２、４、５、又は６の何れかに記載の用水路の止水装置とした。
【００１６】
請求項８の考案は、上記ポンプを作動させるタイマーに代えて、上記栽培池又は水田の低水位を感知して当該ポンプを正回転作動させる第二水位センサーを当該栽培池又は水田に設けた上記請求項７に記載の用水路の止水装置とした。
【００１７】
請求項９の考案は、上記第一タンク及び第二タンクに代えて、一つのタンクを設け、また、上記第一ポンプ及び第二ポンプに代えて、正逆回転自在な一つのポンプを設け、上記タンクに正逆回転自在なポンプの一方の取り込み兼排水口を接続し、当該ポンプの他方の取り込み兼排水口を用水路の中に設け、当該ポンプを正回転作動させるタイマーを設け、また、上記栽培池又は水田に当該ポンプを逆回転作動させる水位センサーを設け、上記止水板に上記タンクを設けた。
【００１８】
予め設定した時刻になると、上記タイマーの指示により上記ポンプを正回転作動させて上記用水路から水を上記タンク内に取り込み、一方、当該タンク内に水が満たされるとセンサーの感知又はタイマーにより当該ポンプの正回転作動を停止させ、当該栽培池又は水田の水位が上昇した際、上記水位センサーがこれを感知し、当該水位センサーによって上記ポンプを逆回転作動させ、当該タンク内の水を用水路に戻し、一方、当該タンク内に水が満たされるとセンサーの感知又はタイマーにより当該ポンプの逆回転作動を停止させる構成の上記請求項１、２、４、５、又は６の何れかに記載の用水路の止水装置とした。
【００１９】
請求項１０の考案は、上記ポンプを作動させるタイマーに代えて、上記栽培池又は水田の低水位を感知して当該ポンプを正回転作動させる第二水位センサーを当該栽培池又は水田に設けた上記請求項９に記載の用水路の止水装置とした。
【考案の効果】
【００２０】
請求項１の考案の止水装置を用水路に設置すれば、毎日、決った時間に、自動的に、止水装置の止水板により用水路の開閉が出来るので、管理者がわざわざ自宅等から離れた水田に出向かなくとも、水田や栽培池の水量の調整を行うことが出来る。また、この装置が簡単な構成から成り、安価なものであるので、装置の設置がし易いものである。この様な結果、真夏の酷暑の期間であっても、また、自宅等から遠く離れた水田や栽培池であっても、さらに、複数の水田等であっても、何人でも容易に、水田等の水量の調整管理をすることが出来、稲作やその他の植物の栽培における順調な生育に大きく貢献するものである。
【００２１】
請求項２の考案によれば、上記栽培池又は水田の水位が高い時、設定した時刻に上記タイマーにより上記第一ポンプに作動の指示があっても、上記水位センサーの指示により、当該第一ポンプを作動させないこととしたので、第一ポンプの不要の作動による水の供給動作が行われず、止水装置として、信頼性の高いものである。また、請求項３の考案によれば、第一ポンプを作動させるタイマーに代えて、上記栽培池又は水田の低水位を感知する第二水位センサーを当該栽培池又は水田に設けたので、水田等の実際の水位に従って、水の引き込みが出来、常に、最低限の水位を確保することが出来る。また、請求項４の考案によれば、上記第二タンクを上記止水板と一体に設けたので、嵩張らない、よりシンプルな構成の止水装置を使用することが出来る。請求項５の考案によれば、止水装置を用水路に取り付けるのに、ターンバックルを使用して取り付けるようにしたので、手短な部材によって、簡単かつ確実に取付けることが出来る。
【００２２】
さらに、請求項６の考案によれば、上記用水路の各側壁に固定した左右の各フレームは一定長のチャネル型とし、これらの各フレームの各凹部を相対向させて設け、上記止水板の両側縁に、当該止水板の両側縁に沿った向き又は当該止水板の両側縁に沿った向きと直交した向きに、複数のローラ又はキャスターを回転自在に設け、上記各フレームの各凹部に当該止水板の両側端縁を摺動自在に嵌め入れたので、定荷重ばねによって、各フレームの凹部内を通って止水板及び空のタンクを引き上げる際の抵抗が軽減されて、円滑に各フレームの上部まで引き上げられる。この際、止水板の両側縁に沿った向きのローラ又はキャスターは、左右の各フレーム内の止水板の上下移動をスムーズにさせ、これらの直交した向きのローラ又はキャスターは、水流による圧力が止水板にかかってもスムーズに上下移動させる。その結果、確実かつ容易に用水路の水流を堰き止めたり、復帰させることが出来る。
【００２３】
請求項７及び８の各考案によれば、上記第一ポンプ及び第二ポンプに代えて、正逆回転自在な一つのポンプを設け、当該ポンプの二つの取り込み兼排水口を上記第一タンクと第二タンクに夫々接続し、また、請求項９及び１０の各考案によれば、上記第一タンク及び第二タンクに代えて、一つのタンクを設け、上記第一ポンプ及び第二ポンプに代えて、正逆回転自在な一つのポンプを設け、上記タンクにこのポンプの一方の取り込み兼排水口を接続し、他方の取り込み兼排水口を用水路の中に設けたので、よりシンプルな構成により、場所もとらず、簡単にこの止水装置を設置することが出来る。
【考案を実施するための最良の形態】
【００２４】
栽培池又は水田への引き込み水路が側壁の上部に設けられた用水路であって、当該用水路の引き込み水路近くの下流の位置の両側壁に、左右のフレームを相対向して立設して固定し、これらの左右のフレームに、上方から方形状の平板から成る止水板の両側端縁を摺動自在に支持させて当該相対向して立設した左右のフレームによって形成される空間の下部又は上部に位置するように形成し、当該左右のフレームの上部に定荷重ばねを夫々固定し、当該各定荷重ばねの自由端を上記止水板の上部に固定した。
【００２５】
水を溜める第一タンク及び第二タンクを設け、第一タンクに第一ポンプの取り込み口を接続し、第二タンクに第二ポンプの取り込み口を接続し、第一ポンプの第一排水ホースの排水口を第二タンクに接続し、第二ポンプの第二排水ホースの排水口を第一タンクに接続し、上記第一ポンプを作動させるタイマーを設け、また、上記栽培池又は水田に上記第二ポンプを作動させる水位センサーを設け、上記止水板の上端縁に上記第二タンクを載置し、当該第二タンクの近くに上記第一タンクを載置して止水装置を形成した。
【００２６】
予め設定した時刻になると、上記タイマーの指示により上記第一ポンプを作動させて上記第一タンク内に溜められた水を上記第二タンク内に移動させ、当該第二タンク内に水が満たされると当該第二タンクは自身の重量により上記定荷重ばねの力に抗して上記止水板を下降させて上記用水路の水流を堰き止め、当該水流を堰き止めて水位を上昇させて上記引き込み水路を通して上記栽培池又は水田内に水を引き込み、一方、当該第二タンク内に水が満たされるとセンサーの感知又はタイマーにより当該第一ポンプの動きを停止させた。
【００２７】
当該栽培池又は水田の水位が上昇した際、上記水位センサーがこれを感知し、当該水位センサーによって上記第二ポンプを作動させ、当該第二タンク内の水を上記第一タンク内に移動させ、当該水の移動により当該第二タンクの重量を軽減して上記止水板は上記各定荷重ばねの力により上方に引き上げられ、用水路の水流を復帰させ、一方、当該第一タンク内に水が満たされるとセンサーの感知又はタイマーにより当該第二ポンプの動きを停止させる構成とした。
【実施例１】
【００２８】
以下、この考案の実施例を図に基づいて説明する。
図１は、この考案の実施例の止水装置Ａを示す。この止水装置Ａは、図２及び図３に示すように、取り付ける用水路Ｃ（図１参照）の水深の約２倍の長さを有する金属製のチャネル型のフレーム１を２本、図２及び図３に示すように、夫々凹部１ａを相対向させて用水路Ｃの幅の間隔を空けて立設する。これらの相対向させて立設した左右の各フレーム１のほぼ中間部の外側に細幅の板体から成る水平長フレーム２を夫々取り付け、左右の各フレーム１の下部に細幅の板体から成る水平短フレーム３を取り付ける。これらの水平長フレーム２と水平短フレーム３の前後端の個所には、夫々貫通孔２ａ、３ａを穿っている。
【００２９】
これらの相対向させて立設した各フレーム１の凹部１ａに、上方から木製の方形状の平板の両側端縁を嵌め入れて落とし、当該相対向させて立設した左右の各フレーム１によって形成された空間の下半分、すなわち、用水路Ｃにおける水が流れる部分を塞ぐ止水板４を形成している。この止水板４には、図４に示す様に、その両側縁にキャスター５とローラ６を夫々交互に２個ずつ設けており、最下部にキャスター５を止水板４の側壁に添った状態で設け、このキャスター５の上方に、このキャスター５とは９０度位置を変えてローラ６を設け、このローラ６の上方に、このローラ６とは９０度位置を変えて、上記と同様にキャスター５とローラ６を夫々設けている。
【００３０】
また、これらの左右の各フレーム１の上部に定荷重ばね８を夫々固定し、これらの各定荷重ばね８の自由端８ａを当該各フレーム１の凹部１ａ内を通して下方に引き伸ばして上記止水板４の上部に木ねじ等を螺着して固定している。これらの定荷重ばね８は、ばねの自由端８ａがどの位置にあっても一定の力で上記止水板４を左右の各フレーム１の上部に引き上げる力を有している。
【００３１】
続いて、水を溜めるタンクを説明する。ここでは、市販されている、灯油や水を入れる、いわゆるポリタンク（以下、単に「タンク」と言う）を使用し、これを、第一タンク９及び第二タンク１２として２つ使用する（図１参照）。この第一タンク９の予め設けられた２つの開口部の一方に第一ポンプ１０の取り込み口１０ａを挿入し、第一ポンプ１０の第一排水ホース１０ｂの排水口１０ｃを第二タンク１２の上部の他方の開口部に接続する。同様に、第二タンク１２の予め設けられた２つの開口部の一方に第二ポンプ１３の取り込み口１３ａを挿入し、第二ポンプ１３の第二排水ホース１３ｂの排水口１３ｃを第一タンク１０の上部の他方の開口部に接続する。
【００３２】
これらの各排水口１０ｃ、１３ｃには、これらの各排水口１０ｃ、１３ｃを設けた付近まで、第一タンク９又は第二タンク１２内に水を満たした際、これらの水と接触して感知する水感知センサーが夫々設けられている（図示省略）。これらの水感知センサーの働きにより、各ポンプ１０、１３の作動を停止させるようになっている。
【００３３】
さらに、第一タンク９の第一ポンプ１０にスイッチオンの指示を行う、乾電池７を電源としたタイマー１１を設け、また、水田Ｂ内に水位センサー１４を設けている。この水位センサー１４は、図１に示すように、棒体１４ｂの上部に、円筒状の取付金具１４ｅを被せ、この取付金具１４ｅを介してスイッチ１４ｃ、１４ｄを設け、この取付金具１４ｅは、一側面に設けた蝶ボルト１４ｆを締緩することにより、棒体１４ｂ上を上下に移動し固定自在となっている。また、この棒体１４ｂを中央に挿通し、当該棒体１４ｂに沿って上下に移動自在な発泡スチロールのフロート１４ａを設け、水田Ｂ内の水位が低位から高位に上昇した場合に、このフロート１４ａの上昇によって、スイッチ１４ｃ、１４ｄの各スイッチレバーが押されてこれらのスイッチがオンに成るようになっている。
【００３４】
タイマー１１の指示により第一ポンプ１０が作動して止水板４が下がり、水田Ｂ内に水が引き込まれ、水田Ｂ内の水位が上がり、スイッチ１４ｃがオンになる。スイッチ１４ｃがオンになっている状態では、例えば、翌日の朝、予め設定された時刻になると、タイマー１１によって、第一ポンプ１０にスイッチオンの指示が行われても、水田Ｂ内には、十分な水位があるので、第一ポンプ１０は、作動しないようになっている。また、スイッチ１４ｄがオンになると、第二ポンプ１３に作動するよう指示を与えるようになっている。
【００３５】
また、スイッチ１４ｄがオンになると、第二ポンプ１３に作動するよう指示を与えるようになっているが、この時、既に、第一タンク９内に水が満たされていると、上述のように、水感知センサーによって、第二ポンプ１３の作動は停止するようになっているので、第二ポンプ１３は作動しない。
【００３６】
そして、第二タンク１２を止水板４の長細の上端縁に載置し、このタンク１２の近くに第一タンク９を載置して止水装置Ａを形成する。
【００３７】
次に、この止水装置Ａを実際に用水路Ｃに取り付ける。
図９に示すように、側壁の上部に水田Ｂへの引き込み水路Ｄが設けられている用水路Ｃにこの止水装置Ａを取り付ける。この様な用水路Ｃの引き込み水路Ｄ近くの下流の位置の両側壁に、止水装置Ａの左右の各フレーム１を夫々の凹部１ａを相対向させて底面から立設する（図１参照）。
【００３８】
これらの左右の各フレーム１の用水路Ｃにおける取り付けに当たっては、左右の各フレーム１のほぼ中間部に設けた各水平長フレーム２を用水路Ｃの両側の相対向した内側壁に沿って当接させ、図８に示すように、これらの各相対向した水平長フレーム２の前後の貫通孔２ａに夫々ターンバックル１５の各一端部を挿入する。各ターンバックル１５の各一端部近くには、予め当該各一端部を若干突出させた状態でナット１５ａを螺着させて夫々設けている。
【００３９】
この後、各ターンバックル１５の中央部の長さ調整部１５ｂを回して各ターンバックル１５を伸張させて、各ターンバックル１５の各一端部のナット１５ａにより各水平長フレーム２を用水路Ｃの内側壁に押圧して、各ターンバックル１５を用水路Ｃに固定する。同様に、各フレーム１の水平短フレーム３を用水路Ｃの低部の相対向した内側壁に沿って当接させ、ターンバックル１５を使って固定する。これらにより、この止水装置Ａの左右の各フレーム１を用水路Ｃに取り付ける。
【００４０】
そして、凹部１ａを相対向させて立設した左右の各フレーム１の各凹部１ａに止水板４の両側端縁を嵌め入れて設ける。この止水板４の細長の上端縁に第二タンク１２を中が空の状態で載置し固定する。この時、止水板４は、各フレーム１と止水板４とに接続されている定荷重ばね８の働きにより、各フレーム１の上半分の位置にある。また、図５に示すように、このタンク１２の近くの用水路Ｃの開口部に板１７を渡して、この上に第一タンク９を中に水を満たした状態で載置する。さらに、図１に示すように、水田Ｂの中の土中に水位センサー１４の棒体１４ｂの下部を差し込んで当該水位センサー１４を取り付ける。この様にして、止水装置Ａを用水路Ｃに取り付ける。
【００４１】
朝、タイマー１１で設定された時刻になると、上記水位センサー１４のスイッチ１４ｃがオンになっていない場合、第一タンク９の第一ポンプ１０のスイッチがオンになり、第一タンク９内の水が第二タンク１２内に移されていく。この時、第一タンク９の水が第二タンク１２内に移されるのに従って、第二タンク１２の自重の増加により、止水板４が定荷重ばね８の力に抗して下降して用水路Ｃの底部に至り、用水路Ｃ内の水流を堰き止める。この水流の堰き止めにより、この個所の用水路Ｃ内の水位が上昇し、やがては、用水路Ｃの側壁の上部に設けられた引き込み水路Ｄの位置に至り、図１に示すように、用水路Ｃ内の水はこの引き込み水路Ｄ内を流れて水田Ｂ内に流れ込む。この時、第二タンク１２内に水が満たされると排水口１０ｃに設けられた水感知センサーが水を感知して第一ポンプ１０の作動を停止させる。
【００４２】
その後、水田Ｂ内に一定量の水が流入して、この水田Ｂ内の水位が一定に達すると、今度は、水位センサー１４のスイッチ１４ｄがオンになり、第二タンク１２の第二ポンプ１３が作動することにより、第二タンク１２内の水を第一タンク９内に移す。この様にして、第二タンク１２内の水が移されると、軽量に成った第二タンク１２及び止水板４を各フレーム１に設けられた定荷重ばね８の働きにより、引き上げて、用水路Ｃを開放して水流を復帰させる。また、第一タンク９内に水が満たされると排水口１３ｃに設けられた水感知センサーが水を感知して第二ポンプ１３の作動を停止させる。また、上記水位センサー１４のスイッチ１４ｄがオンになると、同時にスイッチ１４ｃがオンになり、これにより第一ポンプ１０を作動させない指示が出て、第一ポンプ１０の誤作動を防止する。
【００４３】
また、この時、止水板４の両側面に複数のキャスター５やローラ６が設けられているので、定荷重ばね８によって、各フレーム１の凹部１ａ内を通って止水板４及び空のタンク１２を引き上げる際の抵抗が軽減されて、円滑に各フレーム１の上部まで引き上げられる。この際、キャスター５は、左右の各フレーム１内の止水板４の上下移動をスムーズにさせ、ローラ６は、水流による圧力が止水板４にかかってもスムーズに上下移動させる。
【００４４】
さらに、止水装置Ａは、一旦、用水路Ｃに取り付けられると、長期間にわたって、当該取り付けられた状態で維持されることが多いが、その間、風雨にさらされ、また、日光に容赦無く照らされる。その結果、当該止水装置Ａの各部を傷め、故障の原因にもなる。さらには、用水路Ｃ上で止水装置Ａが露出したままでは、いたずらや、壊されることも考えられる。
【００４５】
これらの様な事態の招来を防ぐために、図６及び図７に示すような、底面の無い箱体から成るカバー１８を止水装置Ａに被せておくと安心である。このカバー１８は、上面が蓋体１８ａとなっており、この蓋体１８ａが蝶番１８ｂにより開閉自在になっている。従って、いつでも、止水装置Ａの状態を見ることが出来る。通常は、南京錠１８ｃで閉じられている。
【００４６】
なお、上記実施例においては、この止水装置Ａの第一タンク９の水を第二タンク１２に移す際の第一ポンプ１０の始動にタイマー１１を使用し、水田Ｂ内の水量が一定に達した際、第二タンク１２の水を第一タンク９に移す際の第二ポンプ１３の始動に水位センサー１４を使用しているが、第一ポンプ１０及び第二ポンプ１３双方の始動に、タイマー１１を使用してももちろん良く、また、これらに代えて、上下の水位を感知するセンサーを夫々設け、これらのセンサーによって各ポンプ１０、１３を作動させる構成にしても良い。
【００４７】
この様な水位センサーとしては、例えば、上記水位センサー１４を２つ用意し、１つは、水位センサー１４の取付金具のスイッチを１つだけ設けて水田Ｂの高水位のみを感知する第一水位センサーとして設け、他の１つは、取付金具１４ｅを蝶ボルト１４ｆを緩めて下部まで下げて固定し、取付金具のスイッチを１つだけ設けて水田Ｂの低水位のみを感知する第二水位センサーとして設ける（図示省略）。
【００４８】
これにより、水田Ｂ内の水位が低く、第二水位センサーのスイッチがオンになった場合は、第一タンク９の第一ポンプ１０が作動し、第二タンク１２内に水が移動し、これにより止水板４を下げて水田Ｂ内に水が引き込まれる。その後、当該水田Ｂ内の水位が上がり、第一水位センサーのスイッチがオンになった場合、第二タンク１２の第二ポンプ１３が作動し、第一タンク９内に水が移動して、止水板４を上げ、水田Ｂ内への水の引き込みを停止し、用水路Ｃの水流を復帰させる。
【００４９】
また、上記第二タンク１２に代えて、この第二タンク１２と同様に、上記止水板４を改良してその内部に水を溜められるように設け、当該止水板４に上記第二ポンプ１３の取り込み口１３ａ及び上記第一排水ホース１０ｂの排水口１０ｃを接続させて使用することも出来る（図示省略）。この場合、よりシンプルな構成となる。
【００５０】
さらに、他の実施例の止水装置Ｅを使用することも出来る。この止水装置Ｅは、上記第一タンク９及び第二タンク１２に代えて、図９に示すように、一つのタンク１９を用意し、また、第一ポンプ１０及び第二ポンプ１３に代えて、正逆回転自在な一つのポンプ２０を用意する。この場合、タンク１９の開口部の一つにポンプ２０の一方の取り込み兼排水口２０ａを接続し、ポンプ２０の他方の取り込み兼排水ホース２０ｂを用水路Ｃの中に配置する。そして、このポンプ２０を正回転作動させるタイマー１１を設け、上記水田Ｂにはこのポンプ２０を逆回転作動させる水位センサー１４を設ける。
【００５１】
上記止水板４の上端縁に上記タンク１９を載置し、予め設定した時刻になると、上記タイマー１１の指示により上記ポンプ１９を正回転作動させて上記用水路Ｃから水を上記タンク１９内に取り込み、このタンク１９内に水が満たされるとこのタンク１９は自身の重量により上記定荷重ばね８の力に抗して上記止水板４を下降させて上記用水路Ｃの水流を堰き止める。この水流を堰き止めることにより水位を上昇させて上記引き込み水路Ｄを通して上記水田Ｂ内に水を引き込む。そして、このタンク１９内に水が満たされると上記取り込み兼排水口２０ａ近くに設けられた水感知センサーによりこのポンプ１９の正回転作動の動きを停止させる。
【００５２】
この水田Ｂの水位が上昇した際、上記水位センサー１４がこれを感知し、この水位センサー１４によって上記ポンプ１９を逆回転作動させ、タンク１９内の水を用水路Ｂに戻し、この水の移動により当該タンク１９の重量を軽減して上記止水板４は上記各定荷重ばね８の力により上方に引き上げられ、用水路Ｃの水流を復帰させる。
【００５３】
上記他の実施例では、上記第一タンク９及び第二タンク１２に代えて、一つのタンク１９を用意し、また、第一ポンプ１０及び第二ポンプ１３に代えて、正逆回転自在な一つのポンプ２０を用意して使用したが、タンクは、上記実施例のように、第一タンク９及び第二タンク１２を使用し、ポンプだけを、第一ポンプ１０及び第二ポンプ１３に代えて正逆回転自在な一つのポンプ２０を使用するようにしてもよい。
【００５４】
なお、上記実施例において、止水装置Ａを用水路Ｃに取り付けるのに、止水装置Ａの左右の各フレーム１に設けた水平長フレーム２と水平短フレーム３にターンバックル１５を設けて固定しているが、この止水装置Ａを用水路Ｃに取り付ける手段は、これに限定するものではなく、適宜の方法でよい。例えば、用水路Ｃの開口部に複数の角材等を渡して固定し、これに止水装置Ａを固定するようにしても良い（図示省略）。また、図１においては、説明の都合上、第一タンク９を用水路Ｃの脇に設けて説明しているが、実際の使用に当たっては、図５に示すように、出来るだけ場所を取らないようにするために、第一タンク９と第二タンク１２を共に用水路Ｃ上に並べて配置する。
【００５５】
また、止水板４の両側面に複数のキャスター５やローラ６を設け、また、止水装置Ａに被せるカバー１８を使用しているが、これらの構成は、この考案の必須要件ではない。さらに、止水板４を木製としているが、止水板４は木製に限らず、金属製でもプラスティック製など適宜のもので良い。また、タンク９、１２として、市販されている、いわゆるポリタンクを使用しているが、タンク９、１２としては、これに限定するものではなく、内部に水を溜められ、形状の安定しているものであればなんでも良い。
【００５６】
さらに、この止水装置Ａによって水を引き込む個所として、水田としたが、水を引き込むのは、水田に限らず、例えば、ハスを栽培している池等の栽培池などでもよい。また、水位センサー１４や他の水位センサーの構成としても、上記記載のものに限定するものではない。さらに、各フレーム１はチャネル型としたが、これら限らず、断面Ｌ型、Ｈ型等適宜の形状のフレームでもよい。
【００５７】
また、上記実施例では、第一ポンプ１０の作動停止を第二タンク１２の排水口１０ｃに設けた水感知センサーで感知し、さらに、第二ポンプ１３の作動停止を第一タンク９の排水口１３ｃに設けた水感知センサーで感知することにより行っているが、これに限らず、フレーム１に対する止水板４の動作感知センサーや、タイマー等で作動を停止させることもできる。また、タイマー１１、各ポンプ１０、１３及び各センサー１４等を乾電池７で作動させるので、商用電源が無いところでも、この止水装置Ａ、Ｅを使用することが出来る。
【図面の簡単な説明】
【００５８】
【図１】この考案の実施例の水田脇の用水路に設けた止水装置を作動させ、水田内に水を引き込んでいる状態の説明図である。
【図２】この考案の実施例の止水装置の立設した左右の各フレームの間に止水板を設けた状態の正面図である。
【図３】この考案の実施例の止水装置の立設した左右の各フレームの間に止水板を設けた状態の側面図である。
【図４】この考案の実施例の止水装置の止水板の正面図である。
【図５】この考案の実施例の止水装置を用水路の上に取り付けた状態の平面図である。
【図６】この考案の実施例の止水装置のカバーの正面図である。
【図７】この考案の実施例の止水装置を用水路上に取り付け、さらに、その上からカバーを被せた状態の側面図である。
【図８】この考案の実施例の止水装置をターンバックルによって用水路上に取り付けている状態の拡大一部断面図である。
【図９】この考案の他の実施例の水田脇の用水路に設けた止水装置を作動させ、水田内に水を引き込んでいる状態の説明図である。
【図１０】従来の、水田の脇に設けられた用水路に板体を差し込んで水流を堰き止め、これにより用水路の水位を上げて引き込み水路から水田内に水を引き込んでいる状態を示す斜視図である。
【符号の説明】
【００５９】
Ａ    止水装置                          Ｂ    水田
Ｃ    用水路                            Ｄ    引き込み水路
１    フレーム                          ２    水平長フレーム
３    水平短フレーム                    ４    止水板
５    キャスター                        ６    ローラ
８    定荷重ばね                        ９    第一タンク
１０    第一ポンプ                      １０ａ  第一タンクの取り込み口
１０ｂ  第一排水ホース                  １０ｃ  第一排水ホースの排水口
１１    タイマー                        １２    第二タンク
１３    第二ポンプ                      １３ａ  第二タンクの取り込み口
１３ｂ  第二排水ホース                  １３ｃ  第二排水ホースの排水口
１４    水位センサー                    １５    ターンバックル
１５ａ  ナット                          １９    タンク
２０    ポンプ
【図１】
0003115884.tif 000003
【図２】
0003115884.tif 000004
【図３】
0003115884.tif 000005
【図４】
0003115884.tif 000006
【図５】
0003115884.tif 000007
【図６】
0003115884.tif 000008
【図７】
0003115884.tif 000009
【図８】
0003115884.tif 000010
【図９】
0003115884.tif 000011
【図１０】
0003115884.tif 000012